(57)【要約】      （修正有）【課題】着替える高齢者、着替えを手伝う家族や介護・看護職員のモチベーションを向上させる／低下させないシート状の部材からなるズボン・衣服およびそれらを用いた着替え方法を提供する。【解決手段】ズボン１の両側を腰側から裾側にかけて、それぞれ切り離して広げたような形状を呈するシート状の部材からなり、そのシート状の部材が、着用すべき者の前面を覆う前部５と、その前面と股下部で連続すると共に、着用すべき者の背面を覆う後部と、それらの前部および後部を連結するための連結部材とを有しており、前記後部が前部より身体の上下方向に長くされている、シート状の部材からなるズボン。【選択図】図１
2020020078.tif 000002
【特許請求の範囲】
【請求項１】
ズボンの両側を腰側から裾側にかけて、それぞれ切り離して広げたような形状を呈するシート状の部材からなり、
そのシート状の部材が、着用すべき者の前面を覆う前部と、その前面と股下部で連続すると共に、着用すべき者の背面を覆う後部と、それらの前部および後部を連結するための連結部材とを有しており、
前記後部が前部より身体の上下方向に長くされている、シート状の部材からなるズボン。
【請求項２】
請求項１記載のシート状の部材からなるズボンであって、
前記ズボンが座部の上に載置され、そのズボンの上に着用すべき者が座った状態で、前記前部と後部が連結されるものである、シート状の部材からなるズボン。
【請求項３】
請求項１または２記載のシート状の部材からなるズボンであって、
前記連結部材が、前記後部の左右からそれぞれ延設された耳部を備えており、それらの耳部を前記前部の上に重ねるようにして係止することにより前部と後部が連結される、シート状の部材からなるズボン。
【請求項４】
請求項１、２あるいは３のいずれかに記載のシート状の部材からなるズボンであって、
前記連結部材が、前記後部の左右から延びた帯状部材を備えており、その左右の帯状部材が前記前部の上面側で連結されることにより前部と後部が連結される、シート状の部材からなるズボン。
【請求項５】
請求項１、２、３あるいは４のいずれかに記載のシート状の部材からなるズボンと、そのズボンと共に用いるシート状の部材からなる上着とからなり、
その上着が着用すべき者の頭部を通す開口が形成されたシート状の部材であり、
そのシート状の部材は、前記開口の前側の前掛部と、後方の幅広部とからなり、
前記前掛部は着用すべき者の身体の正面に配置されるものであり、
前記幅広部は身体の背面から側面を介し、左右の前身頃となって正面に配置されるものであり、
前記前身頃は、前記身体の脇の下から斜めに延びて、身体の正面で交差して配置されるものであり、
その左右の前身頃は前掛部の上で連結されるものである、シート状の部材からなる衣服。
【請求項６】
請求項５記載のシート状の部材からなる衣服を用いた着替え方法であって、
前記シート状にされた衣服を移動先へ載置し、
その移動先へ着用すべき者が移動することにより、着用すべき者の下にシート状の衣服を配置する、着替え方法。
【請求項７】
請求項６記載のシート状の部材からなる衣服を用いた着替え方法であって、
前記移動先へ移動して着替えるべく、シート状の部材からなる脱着すべき衣服を着用した者が移動元で、その脱着すべき衣服を脱着する、着替え方法。
【請求項８】
請求項５または６記載の着替え方法であって、
前記上着を着用した状態で前記移動先へ移動して、その移動先で載置されたズボンに着替える、着替え方法。
【請求項９】
シート状の部材からなる上着であって、
そのシート状の部材は、着用すべき者の頭部を通す開口が形成されると共に、前記開口の前側の前掛部と、後方の幅広部とからなり、
その前掛部と幅広部が連続している付近の前記シート状の部材の左右の側縁は、それぞれ外向きに延設された袖になるべき部位であり、
前記前掛部は着用すべき者の身体の正面に配置されるものであり、
前記幅広部は身体の背面から側面を介し、左右の前身頃となって正面に配置されるものであり、
前記前身頃は、前記身体の脇の下から斜めに延びて、身体の正面で交差して配置されるものであり、
その左右の前身頃は前掛部の上で連結されるものである、シート状の部材からなる上着。
【請求項１０】
請求項９記載のシート状の部材からなる上着であって、
前記袖になるべき部位を、着用すべき者の腕を囲って筒状にするための係合部が設けられている、シート状の部材からなる上着。
【請求項１１】
請求項９または１０記載のシート状の部材からなる上着であって、
前記係合部が、袖になるべき部位を筒状にしたり、筒状を解いたりできるように係脱自在にされている、シート状の部材からなる上着。
【発明の詳細な説明】
【技術分野】
【０００１】
本発明はシート状の部材からなるズボン、衣服およびそれらを用いた着替え方法に関する、とくに介護分野において用いることのできるシート状の部材からなるズボン、衣服およびそれらを用いた着替え方法に関する。
【背景技術】
【０００２】
（１）一般に、ある程度以上要介護度の重い高齢者は、前開きのシャツ・パジャマを着用していることが多い。これはＴシャツやトレーナーといった衣服に比べて、着替えをするときの身体的な負担が少ないからである。しかし、これら前開きのシャツやパジャマなどを利用しても、「腕を通す」、「足を通す」という動作はそのまま残るため、着替える高齢者も着替えを手伝う家族も、さらには介護・看護職員も身体的な負担を抱えている。
（２）これを解決するため、着脱の容易化を図っている技術として全開可能なつなぎ状の衣服（特許文献１）、シート状の部材からなる介護服（特許文献２）があり、実際にこれに類する製品も発売されている。これらは衣服全体がシート状になる、もしくは袖や股下といった筒状の部分が広がることで、腕や足を「通す」という動作をなくそうというものである。
【先行技術文献】
【特許文献】
【０００３】
【特許文献１】特開平１１−０９３００６号公報
【特許文献２】特開２０１８−０８７３９５号公報
【発明の概要】
【発明が解決しようとする課題】
【０００４】
従来から、介護における着替えの負担を軽減すべく、着脱の容易化を目的とした衣類は知られている。しかしながら実際の介護においては、通常の前開きのシャツ・パジャマが利用されていることがほとんどである。その一因として、例えば、全開可能な、つなぎ状の衣服をはじめ、介護用の着脱のしやすい衣類は通常の衣類と形が異なりすぎることによって、着用時の動きを制限するとともに、着用者やその家族に対していかにも「介護を受けている」という沈んだ気分を生むことが挙げられる。これは着用する方やその家族の方の尊厳を傷つけることになり、介護生活のモチベーションを失わせることにもつながる。
通常の衣類と形が異なる一因として、着脱の容易化のため、例えば、全開した部位を再び接合する位置が普通の衣服の布同士を接合している部位と異なること、および、その接合部にファスナーが多用されていることなどが挙げられ、普通の衣服ではありえない位置にファスナーなどが配置されることがある。さらに例えば、着脱の容易化に重点が置かれるあまり、被介護者を真っ裸にするような着替えが前提とされており、露出を必要最低限の部分だけにするといった着用者の尊厳についての配慮に欠ける傾向にある。
このように、着替えは、介護生活のモチベーションを失わせることにもつながっている。
そこで本発明は、着替える高齢者、着替えを手伝う家族や介護・看護職員のモチベーションの向上させる／低下させないシート状の部材からなるズボン・衣服およびそれらを用いた着替え方法を提供することを課題とする。
【課題を解決するための手段】
【０００５】
（１）本発明のシート状の部材からなるズボンは、ズボンの両側を腰側から裾側にかけて、それぞれ切り離して広げたような形状を呈するシート状の部材からなり、そのシート状の部材が、着用すべき者の前面を覆う前部と、その前面と股下部で連続すると共に、着用すべき者の背面を覆う後部と、それらの前部および後部を連結するための連結部材とを有しており、前記後部が前部より身体の上下方向に長くされている、シート状の部材からなることを特徴としている。
【０００６】
（２）このようなズボンは、前記ズボンが座部の上に載置され、そのズボンの上に着用すべき者が座った状態で、前記前部と後部が連結されるものであるのが好ましい。
【０００７】
（３）また、前記連結部材が、前記後部の左右からそれぞれ延設された耳部を備えており、それらの耳部を前記前部の上に重ねるようにして係止することにより前部と後部が連結される、ものが好ましい。
【０００８】
（４）さらに、前記連結部材が、前記後部の左右から延びた帯状部材を備えており、その左右の帯状部材が前記前部の上面側で連結されることにより前部と後部が連結されるものが好ましい。
【０００９】
（５）本発明のシート状の部材からなる衣服は、上述のズボンと、そのズボンと共に用いるシート状の部材からなる上着とからなり、その上着が着用すべき者の頭部を通す開口が形成されたシート状の部材であり、そのシート状の部材は、前記開口の前側の前掛部と、後方の幅広部とからなり、前記前掛部は着用すべき者の身体の正面に配置されるものであり、前記幅広部は身体の背面から側面を介し、左右の前身頃となって正面に配置されるものであり、前記前身頃は、前記身体の脇の下から斜めに延びて、身体の正面で交差して配置されるものであり、その左右の前身頃は前掛部の上で連結されるものであることを特徴とする。
【００１０】
（６）このようなシート状の部材からなる衣服は、前記前身頃は、前記身体の脇の下から斜めに延びて、身体の正面で交差して配置されるものであるのが好ましい。
【００１１】
（６）本発明の着替え方法は、上述したシート状の部材からなる衣服を用いた着替え方法であって、前記シート状にされた衣服を移動先へ載置し、その移動先へ着用すべき者が移動することにより、着用すべき者の下にシート状の衣服を配置することを特徴とする。
【００１２】
（７）このような着替え方法は、前記移動先へ移動して着替えるべく、シート状の部材からなる脱着すべき衣服を着用した者が移動元で、その脱着すべき衣服を脱着するのが好ましい。
【００１３】
（８）また、前記上着を着用した状態で前記移動先へ移動して、その移動先で載置されたズボンに着替えるのが好ましい。
【００１４】
（９）本発明の上着は、シート状の部材からなる上着であって、そのシート状の部材は、着用すべき者の頭部を通す開口が形成されると共に、前記開口の前側の前掛部と、後方の幅広部とからなり、その前掛部と幅広部が連続している付近の前記シート状の部材の左右の側縁は、それぞれ外向きに延設された袖になるべき部位であり、前記前掛部は着用すべき者の身体の正面に配置されるものであり、前記幅広部は身体の背面から側面を介し、左右の前身頃となって正面に配置されるものであり、前記前身頃は、前記身体の脇の下から斜めに延びて、身体の正面で交差して配置されるものであり、その左右の前身頃は前掛部の上で連結されるものであることを特徴とする。
【００１５】
（１０）このようなシート状の部材からなる上着は、前記袖になるべき部位を、着用すべき者の腕を囲って筒状にするための係合部が設けられているのが好ましい。
【００１６】
（１１）また、前記係合部が、袖になるべき部位を筒状にしたり、筒状を解いたりできるように係脱自在にされているのが好ましい。
【発明の効果】
【００１７】
（１）本発明のズボンは、後部と前部に切り離され、かつ、後部が前部より身体の上下方向に、腰側に長くされているから、後部を（前部とは別個に）座った状態の曲がった身体に沿うように配置することができる（図２参照）。このため、椅子に座った状態や、ベッドで上半身を起こした際の着用時の快適性を向上させることができる。
また足を通すという動作が不要であるため、介護する者および被介護者にとって着脱が容易である。
【００１８】
（２）このようなズボンが、前記ズボンが座部の上に載置され、そのズボンの上に着用すべき者が座った状態で、前記前部と後部が連結されるものである場合は、被介護者を座らせた状態でズボンを着用することができる。
さらに、例えば、車椅子に座るという行為と、ズボンをはくという行為から、
いわば共通部分を抜き出して（座るという行為と、お尻の下にズボンを存在させるという行為）、それらを同時に実行することにより、労力の軽減を図っている。
また、例えば椅子などに載置したシート状の部材からなるズボンの上におむつを載置すると、おむつとズボンを同時に着用できる。
【００１９】
ここで座部とは、車椅子や椅子の座部の他、ベッドや布団などのような寝具やストレッチャー、ソファーなどのように座ることのできる部分を含む。
【００２０】
（３）また前記連結部材が、前記後部の左右からそれぞれ延設された耳部を備えており、それらの耳部を前記前部の上に重ねるようにして係止することにより前部と後部が連結される場合は、切り離された部位から身体が見えるのを防止することができる。このため一般的なズボンに近い見栄えを得ることができる。
そして、前記耳部を手で把持することにより、後部を腰付近に引きやすいし、背部に後部を誘導しやすい。
また、重ね合わせて連結するので、前部と後部の一方が他方に対しズレるように動くことができるので、体勢、体型、身体の症状が変わっても着やすい。
【００２１】
（４）また、前記連結部材が、前記後部の左右から延びた帯状部材を備えており、その左右の帯状部材が前記前部の上面側で連結されることにより前部と後部が連結される場合は、その帯状部材を持つことにより、後部を腰付近に引きやすいし、背中に後部を誘導しやすい。
そして、帯状部材を前部の上で締結することで、前部と後部を連結することができる。被介護者の前方側で連結作業が完了するので、ズボンの着用が容易である。
さらに、前記連結部材が耳部と帯状部材の両方を備えているなら、どちらか一方で前部を身体側に引き寄せた仮の連結状態にしておき、その後に残りの他方で前部と後掛部とを連結することができる。
【００２２】
（５）本発明のシート状の部材からなる衣服は、上着およびズボンが、１枚のシート状の部材から構成されているから、それらを車椅子や寝具の上に載置しておくと、被介護者を車椅子や寝具へ移動する際に着替えることができる。
すなわち移動する行為と、衣服を身体のお尻側や背中側に通す作業とを同時に行うことができる。このため、着替えにおける脚や胴体を包む行為に関する労力を軽減することができる
例えば、その車椅子への移動の際に、上半身を着替えておけば、被介護者を全裸にしないので、露出を少なくすることができる。
また、脇の下から斜めに延びて、へそ付近で連結あるいは交差する構造が、着物の衿のような見栄えを与えると共に、前見頃を着用すべき者の腕を避けて脇の下に回り込みやすい構造にしており、着用すべき者に対する脇の下への圧迫を小さくし、腕の可動を容易にしている。また、着やすく、着せやすい。
さらに、前身頃と後身頃を重ね合わせて連結するので、前見頃と後身頃の一方が他方に対しズレるように動くことができるので、体勢、体型、身体の症状が変わっても着やすい。
【００２３】
（６）本発明の着替え方法は、移動する行為と、衣服を身体のお尻側や背中側に通す作業とを同時に行うことができる。このため、着替えにおける脚や胴体を包む行為に関する労力を軽減することができる。
【００２４】
（７）このような着替え方法は、前記移動先へ移動して着替えるべく、シート状の部材からなる脱着すべき衣服を着用した者が移動元で、その脱着すべき衣服を脱着する場合は、移動する行為と、衣服を身体のお尻側や背中側から抜く作業とを同時に行うことができる。このため、着替えにおいて、脚や胴体の衣服で包まれた状態を解除する労力を軽減することができる。
【００２５】
（８）また、前記上着を着用した状態で前記移動先へ移動して、その移動先で載置されたズボンに着替える場合は、移動時における着用すべき者の肌の露出を少なくすることができる。例えば全裸にしない。
【００２６】
（９）本発明の上着は、シート状の部材からなるにもかかわらず、着用することにより、袖になるべき部位を肩から垂れるように纏うことができる。このため、着用すべき者の二の腕や脇の下付近を隠して、肌の露出を少なくすることができる。また防寒対策になる。
【００２７】
（１０）このようなシート状の部材からなる上着は、前記袖になるべき部位を、着用すべき者の腕を囲って筒状にするための係合部が設けられているので、腕を覆うので、一層肌の露出を少なくすることができる。また防寒対策になる。
【００２８】
（１１）また、前記係合部が、袖になるべき部位を筒状にしたり、筒状を解いたりできるように係脱自在にされているので、着替えや緊急時に係合を解除して、容易に腕から上着を脱がすことができる。例えば腕を上げることなく、脱がすことができる。
【図面の簡単な説明】
【００２９】
【図１】図１は本発明のシート状の部材からなるズボンを着用する方法を示す概略図である。
【図２】図２は車椅子に座っている状態における図１のズボンの様子を示す概略図である。
【図３】図３は図１のズボンの概略平面図である。
【図４】図４は図３のズボンの前部を股の間から引き抜いている状態を示す概略図である。
【図５】図５は図４の前部を腰付近まで引き上げた様子を示す概略図である。
【図６】図６は本発明のシート状の部材からなる上着の概略平面図である。
【図７ａ】図７ａは図６の上着を脱着する様子を示す概略工程図である。
【図７ｂ】図７ｂは図７ａに続く上着を脱着する様子を示す概略工程図である。
【図８】図８は図６の上着の変形例を示す概略平面図である。
【図９ａ】図９ａは図６の衣服を脱着する様子を示す概略工程図である。
【図９ｂ】図９ｂは図９ａに続く衣服を脱着する様子を示す概略工程図である。
【発明を実施するための形態】
【００３０】
［１．シート状の部材からなるズボン］
（１）概略説明
まず図１を用いて本発明のシート状の部材からなるズボン（以下、単にズボンという）を説明する。そのズボン１（図２参照）は、例えば、車椅子２４などの座部２４ａに座わることにより、腰が曲がった状態で長時間生活する人が履くのに適している。そのズボンは、シート状の部材からなり、例えば座部に載置され、その上から着用すべき者（以下、被介護者）に座ってもらい、その座った状態で着用するものである。
図２に車椅子に座っている人の様子を示す側面図を示す。座っている状態においては、身体２０の背中側の湾曲長さＬ１は、お腹側の湾曲長さＬ２より長い（図２参照）。このため、仮に同じ長さであるなら、長時間座っている人には、ズボンの前側が弛んだり、身体の背部が露出したりし、お尻側の生地がつっぱったりするといった不快感がある。
【００３１】
（２）詳細説明
図３に本発明のズボンの概略平面図を示す。なお、図で表しているのは、身体に触れている内面であり、図示しない外面（たとえるなら紙面の裏面に相当）が、外部から視認される面である。
ズボン１は、例えば、裾が膝丈の半ズボンである。そのズボンは、前身頃と後身頃を連結する脇線に沿って切り離されたような形状を呈している。符号２ａは、腰側の開口となるべき部位であり、符号２ｂ、２ｂは左右の足を入れる脚側の開口となるべき部位である。その切り離された脇線は切離部３である。そのシート状の部材は、身体の前側を覆う前身頃（前部）５と、背中側を覆う後身頃（後部）６とからなり、それらは中央付近の股下部（股下線）４で連結されている。
また後部６および前部５には、それぞれを連結するための連結部材７が設けられている。
また、股下部４から腰側の開口となるべき部位２ａまでの長さは、前部の長さＡより後部の長さＢの方が長くされている。
【００３２】
ズボン１は、後部６の上に被介護者が座った状態で、その股の間から前部５を引き上げて用いる。図４は前部５を股から引き抜く状態を示している（図１のＵ３参照）。
【００３３】
ここから図５を用いて説明する。図５は前部５を股から引き抜いて、被介護者の腰付近まで引き上げた様子を示している（図１のＵ４参照）。
後部６の上端（腰側の開口になるべき部位の側）には、帯状部材８を収納している袋部８ａが形成されている。その帯状部材８は前部５においては、その上方に設けられた帯通し８ｂに通されている。
後部６の左右には耳部９、９が延設されている。その耳部９は、頂点を外側に向けた三角形状を呈している。その耳部９にはボタン穴９ｂが形成されている。一方、前部５の表側には、ボタン９ａが設けられている。耳部９を前部５の表側の面に重ねて、前部のボタン９ａを耳部９のボタン穴９ｂに掛けることで、前部５と後部６とが連結される。
耳部９により、前部５と後部６との間から人体が見えるのを隠すことができる。
帯状部材８、袋部８ａ、帯通し８ｂ、耳部９、ボタン９ａ、ボタン穴９ｂは連結部材７を構成している。
【００３４】
帯状部材８は、その中央付近がゴムなどの伸縮する素材で形成されている。例えば、帯状部材の１／４程度が伸縮可能な部材で設けられている。さらに、帯状部材８はその中央付近で後部６に縫い付けられている。このため帯状部材８の片側を手で引くと、その帯状部材８は袋部８ａから抜け出ることなく、かつ、引いた方向に伸ばすことができる。
袋部８ａは、後部６の上端付近を内側に折り畳んで形成されている。
左右の帯状部材８を前部５の帯通し８ｂに通して、前部５の上で結ぶことにより、前部５と後部６とが連結される。
【００３５】
（３−１）ズボンを着用する方法
図１、図４および図５を用いてズボン１を着用する方法３０（実線の矢印参照）を説明する。
・工程Ｕ１：車椅子２４の座部２４ａにズボン１を敷く。
・工程Ｕ２：そのズボン１の上に被介護者２０が座る。
・工程Ｕ３：股から前部５を引き抜く（図４参照）。
・工程Ｕ４：腰付近まで前部５を引き上げる。
・工程Ｕ５：図５に示すように、帯状部材８を前部５の帯通し８ｂに通し、次いで結び、前部５が下方に垂れないように仮に連結するする（仮止め）。このとき帯状部材８を片側ずつ伸ばすことができるから、帯通し８ｂに通すのが容易である。
・工程Ｕ６：耳部９を前部５の表側の面に重ねて、前部のボタン９ａを耳部９のボタン穴９ｂに掛けて、前部５と後部６を連結する。
なお準備段階として、少なくとも椅子に座る（工程Ｕ２）前に、被介護者は、着ていたズボンを脱いでいる。
さらになお、座る（工程Ｕ２）前に、着ていた上着を新たな上着に着替えてもよい。
さらになお、ズボン１を着用した後、上着を着替えてもよい。ズボン１と上着を片方ずつ着替えることで、被介護者の肌の露出を少なくすることができる。
【００３６】
（３−２）ズボンを脱ぐ方法
一方で、例えば、ズボン１を脱ぐには（二点鎖線の矢印参照）、着る工程と反対の工程を行う（図１の脱ぐ方法３０ａ参照）。
脱いだ後は、そのズボン１はベッドに残しておく。被介護者は、例えば、移動先の座部２４ａ（図１参照）に移動している。
【００３７】
［３．シート状の部材からなる上着］
（１）上着の概略説明
まず、図６を用いて本発明のシート状の部材からなる上着（以下、単に上着１０という。）を説明する。なお、図で表しているのは、外部から視認される外面であり、図示しない内面（たとえるなら紙面の裏面に相当）が、身体に触れている面である。
この上着１０は、前掛けになるべき部位１２と、その前掛けになるべき部位とそれぞれの上端同士で連結された前後の身頃になるべき部位１３とを有している。そして、前後の身頃になるべき部位１３は、前掛けになるべき部位１２に連結されている後身頃になるべき部位１４と、その後身頃の両側から延設されている左右の前身頃になるべき部位１５、１５とからなる。
そして、左右の前見頃になるべき部位１５、１５の上端付近には、左右の紐部材１８、１８が設けられている。
上着１０は、シート状の部材を前後が重なるように折り曲げるようにされ、その折り曲げ部位１６の付近に形成された開口１７から被介護者２０の頭部２１を外に出すと共に、その者の身体の胴部２２をほぼ挟むようにして身に着けられる。
なお、図では、後身頃になるべき部位１４と前身頃になるべき部位１５との仮想的な境界を二点鎖線で示している。
さらになお、図で表しているのは、外部から視認される外面であり、図示しない内面（たとえるなら紙面の裏面に相当）が、身体に触れている面である。
【００３８】
（２）各構成の詳細説明
前掛けになるべき部位１２は、中央で切断されて左右の部位１２ａ、１２ａに分かれており、それらはスナップボタン１２ｂにより連結される。これにより、診察時あるいは緊急時に左右の部位１２ａ、１２ａを左右に引き裂く様に開け広げることができる。
後身頃になるべき部位１４には、その幅方向の中心に目印１９が設けられている。その目印１９は生地の色とほぼ同じ色の糸をまっすぐに縫って形成されている。その目印１９としては、幅方向の中央を知らせるような目印となるものであればよい。例えば、刺繍による線、あるいは熱転写による印などである。なお、目印が生地の模様に一体化したり、生地の模様に目立たないような模様をプリントしたりしてもよい。
前身頃になるべき部位１５のうち、頭部側の端縁を符号１５ａで示し、脚側に延びている外側の測縁を符号１５ｂで表している。
頭部側の端縁１５ａは、外向き、かつ、斜め後方（身体の脚側）に延びるように形成されている。この斜めに傾斜した形状により、脇の下から斜めに延びて、へそ付近で連結あるいは交差する構造が、着物の衿のような見栄えを与えると共に、前見頃を被介護者の腕を避けて脇の下に回り込みやすい構造にしており、被介護者に対する脇の下への圧迫を小さくし、腕の可動を容易にしている（図７ｂのＲ４参照）。そして、着やすく、あるいは着せやすい。なお、その端縁と側縁との角部１１が被介護者のへその付近の高さ位置に配置されるのがよい。
折り曲げ部位１６は、前掛け１２と前後の見頃になるべき部位１３を連結すると共に、被介護者２０の肩のラインに沿って自然に湾曲する部位である。
前記シート状の衣服１０は、例えば、腕２３の下（脇の下）から身体の側面２２（図７ｂのＲ３参照）の広範囲を左右の前身頃１５、１５で閉じて隠すことができるので、服としての見た目が良い。そして、左右の前身頃１５、１５を身体の左右から巻き込んで前掛け１２の上で連結しているから、左右の前見頃１５、１５がはだけても、身体の正面が露出するのを防止できる。
また例えば、左右の前身頃１５、１５の連結を解くと、身体に容易にアクセスすることができ、さらに左右の前身頃１５、１５を全開にして容易に脱がせることができる。
また例えば、前身頃１５、１５の腕２３の下に回り込んでいる部位１５ｃ（図７ｂのＲ４参照）をずらすことにより、胃瘻やバルーンカテーテルなどの医療用パイプなどの通り道を容易に形成することができる。
【００３９】
（３−１）寝具に上着を載置して着る方法
図７ａおよび図７ｂには、上着１０を寝具に載置して着用する方法を示している。
着用する方法３１は、まず前準備として、上着１０を用意する（図６参照）。その際に、いくつかのスナップボタン１２ａを外しておいもよい（図では止められている）。なお全部外してもよい。
次いで、図７ａに示すように、
・工程Ｒ１：寝具２５の上に上着１０を広げて載置する工程を含む。なお図では前掛け１２が折りたたまれている。
・工程Ｒ２：その上着１０の上に被介護者２０が横たわる。
そして、図７ｂに示すように、
・工程Ｒ３：開口１７から頭部２１を出すようにして、折り曲げ部位１６を両肩に掛ける。
次いで、左右の前身頃になるべき部位１５、１５を、左右の腕２３の下から引き出すようにして、前掛け１８の上に重ねる（Ｒ３参照）。左右の前身頃になるべき部位１５、１５は、被介護者２０の身体の両側面２２を隠すように左右の腕２３の下を通される。
・工程Ｒ４：左右の紐部材１８、１８を結ぶ（Ｒ４参照）。
図８に上着１０を着用した様子を示す。左右の前見頃１５、１５は、前掛け１２の上面に回り込まされ、左右の紐部材１８、１８を結ぶことにより、連結されている。
なお、図では上着が着用されているので、前身頃、後身頃および前掛けは、それぞれ後身頃になるべき部位１４、前身頃になるべき部位１５および前掛けになるべき部位１２と同じ符号を用いて表している。
このように、左右の前身頃１５、１５は、それぞれ左右の腕２３、２３の下から回り込ませ、身体の正面で連結している。このため全体として、腕を通さない着物・浴衣のような構造を呈しており、着る者・着てもらう者に自然な風合いの見た目を与えることができる。そして、そのような着物のような上着を被介護者２０の腕２３をほとんど動かさないで身にまとうことができる。
【００４０】
（３−２）脱ぐ方法
一方で、例えば、上着１０を脱ぐには、着る工程と反対の工程（二点鎖線の矢印参照）を行う（脱ぐ方法３１ａ）。
脱いだ後は、その上着１０はベッド２５に残しておく。被介護者は、例えば、移動先のベッド、座部２４ａ（図１参照）に移動する。
【００４１】
（３−３）立って着替える方法
上着１０を立って着替える方法は、上着をベッドに載置しない。上述した寝具に上着を載置して着る方法・脱ぐ方法とほぼ同じであるので、その説明を省略している。
【００４２】
＜上着の変形例＞
図８には、上着１０の変形例が示されている。図に示している上着１０ａは、前身頃になるべき部位が幅広に形成されている（幅広の部位１０ｂ、１０ｂ）。これにより、この幅広の部位１０ｂが身体の側面２２（図７ｂのＲ３参照）に回り込むことができるので、側面から肌が見えるのを防止している。
さらに、折り曲げ部位１６の付近から外向きに、袖になるべき部位１０ｃ、１０ｃが延設されている。この袖になるべき部位１０ｃ、１０ｃは、立ち姿において、被介護者の腕の上方の部分を覆うことができ、露出を少なくする。一方で、寝姿においても、腕から脇の下の付近を隠して、肌の露出を少なくすることができる。さらに防寒対策になる。
符号１０ｄは係合部である。同じ側の対応する係合部１０ｄ、１０ｄ同士を係合すると、被介護者の腕を囲う筒状を形成することができる。このため、腕を動かしても、はだけることがないから、一層肌の露出を少なくすることができる。また防寒対策になる。また係合部１０ｄは、着替えや緊急時に容易に係合が解除できると、上着を脱がしやすい。例えば腕を上げることなく、脱がすことができる。
係合部１０ｄとしては、ボタン、スナップボタン、面ファスナーなど用いることができる。図ではスナップフィットする機構を用いている。
なお、この変形例の上着１０ａは、前述した上着１０（図６参照）とほぼ同様であるので、同じ部分には同じ符号を付して、その説明を省略する。
【００４３】
［４．シート状の部材からなる衣服］
（１）衣服の概略説明
シート状の部材からなる衣服（以下、単に衣服という）は、上述したズボン１と、上着１０とからなる。この衣服２６（図７ｂのＲ４参照）は、上下が別部材であるので、一方が他方に対しズレるように動くことができるので、体勢、体型、身体の症状が変わっても着やすい。
【００４４】
（２）着替え
ズボン１と上着１０の両方が、シート状の部材からなるので、それらを予め移動先の寝具や車椅子に載置すると、移動する行為と、衣服を身体の背中側やお尻側を通す作業とを同時に行うことができる。このため、着替えにおける脚や胴体を包む行為に関する労力を軽減することができる。
【００４５】
［５．他の実施例］
（１）介護を必要とする者の具合によって、介助者の介助の程度も異なる。このため、実施形態では、被介護者としているが、介護が不要な者であってもよい。
【００４６】
（２）ズボンについて
前記座部２４ａに座っている人とは、高齢な人ばかりでなく、何らかの原因で足腰の筋力が低下した人や、一時的に足腰に不具合が生じてハビリテーションをしている人などを含む。
座部として、車椅子の座部の他、通常の椅子、座席、上半身を起こした状態の介護ベッドの下半身側を座部としてもよい。さらに寝具の上に座るなら、寝具の全体を座部と捉えてもよい。
ズボン１は、膝丈の半ズボンであるが、膝下および膝上の丈でもよい。
帯状部材１８を設けずに、耳部９だけで前部５と後部６とを連結してもよい。反対に帯状部材１８だけで前部５と後部６とを連結してもよい。
左右の帯状部材８、８にそれらを連結するためのボタン、面ファスナーなどの機構を設けてもよい。
帯状部材８は、伸縮しない素材であってもよい。また帯状部材８を後部に縫い付けず、袋部、帯通しに通して、後部から抜けるようにしてもよい。
【００４７】
（３）上着について
シート状の部材としての上着１０を、一枚布で形成すると（生地の分割をしない）、縫い代が無いので、褥瘡のリスクが低減される。一方で、折り曲げ部位１６付近に前身頃と後身頃の縫い代を設けると、身体に縫い代が当たりにくいので、負担がかからないから、褥瘡のリスクを低減する。
また、一般的な上着では、折り曲げ部位１６付近で生地を分割しないが、製造においては、前身頃と後身頃の取付を間違いにくくなるという利点がある。
さらに、前身頃と後身頃で異なる意匠の生地を用いることができ、例えばツートンカラーのようになって意匠性が向上する。そして、限られた生地在庫で、組み合わせによってバリエーションを増やすことができる。さらに、折り曲げ部位１６付近の縫い代は、上着を着用するときの目印になる。その縫製は、表側に縫い代を出す袋縫いである。
なお、目印１９（図６参照）を設けなくてもよい。
【００４８】
（４）着用について
ズボン１について、寝具などで横になっている被介護者と寝具の間に（お尻の下に）、シート状に広げたズボン１を入れ込み、その後はＵ３、Ｕ４、Ｕ５の工程で着用してもらってもよい。
上着１０について、寝具などで横になっている被介護者と寝具の間に、シート状に広げた上着１０を入れ込んでもよい。その後は上述したＲ１、Ｒ２、Ｒ３、Ｒ４で説明した方法で着用してもらってもよい。
【００４９】
また、被介護者に寝返りを打たせることで、被介護者の下にズボン１または上着１０を敷いてもよい。ここから図９ａおよび図９ｂを用いて、上着１０を着てもらったり、脱いでもらったりする方法を説明する。
【００５０】
（着てもらう方法）
・工程Ｓ１：まず、図９ａに示すように、前準備として、開口１７が広がるように、例えば前掛け１２の上から一番目と二番目のスナップボタン１２ｃを外しておく。
なお、スナップボタン１２ｃを外すさないか、全部外すのか等の開度の具合は、被介護者の状態に合わせて、現場の介助者が、後に続く工程が容易に行えるかどうかにより判断する。
・工程Ｓ２：次いで、目印１９がある場合にはそれを頼りにして、前後の身頃になるべき部位の一方の側（図では右側）を目印１９付近まで折り込む。例えば、蛇腹状に折ると、後で広げやすくなる。
・工程Ｓ３：被介護者２０に寝返りを打ってもらい、ベッド２５の右側半分で側臥位状態になってもらう。そして、前記折り込んだ部位１９ａを被介護者の背中に沿うように、かつ、ベッド２５の中心付近に置く。
【００５１】
・工程Ｓ４：図９ｂに示すように、側臥位状態である被介護者２０を仰向けになってもらいながら、その背中側で折り込んだ部位１９ａを乗り越えて、側臥位状態になってもらい、反対側に移動してもらう。そして、乗り越えた折り込んだ部位１９ａをベッド２５の上に広げる。
・工程Ｓ５：被介護者２０に仰向けなってもらい、開口１７（図９ａのＳ１参照）に頭部２１を通して、前掛け１２を着用する。
・工程Ｓ６：前述した工程Ｒ３および工程Ｒ４と同様に、左右の前身頃になるべき部位１５、１５を、左右の腕２３の下から引き出すようにして、体の正面側にもってきて、左右の紐部材１８、１８を結んで連結する。
【００５２】
（脱いでもらう方法）
また、上着１０を着ている被介護者２０から上着１０を脱いでもらう方法は、前記着てもらう方法と反対の手順で行われる（二点鎖線の矢印参照）。
・工程Ｓ６：ベッド２５の中心付近に被介護者２０に仰向けで寝てもらう。
・工程Ｓ５：左右の紐部材１８、１８を解いて、左右の前身頃になるべき部位１５、１５を、左右の腕２３の下から抜いて、ベッドの上に左右に広げる。そして、開口１７（Ｓ１参照）から頭部２１を抜いて、前掛け１２を脱がせる。
・工程Ｓ４：被介護者２０に寝返りを打たせて、ベッド２５の左側半分で側臥位状態になってもらう。ベッド２５の右側に広げられている上着１０を目印１９付近まで折り込む。
・工程Ｓ３：被介護者２０に寝返りを打ってもらいながら、その背中側で折り込んだ部位１９ａを乗り越えて、側臥位状態になってもらい、ベッド２５の反対側に移動してもらう。そして、折り込んだ部位１９ａを引き抜く。
このように、シーツの取り換えと同じ要領で衣服を着てもらったり、脱いでもらったりできるから、介助者の労力が軽減でき、被介護者２０は転がるだけで、腕の上げ下げなどもほとんどないから、着替えにおける負担が軽減できる。このため着替えてもらうのが容易である。
【００５３】
例えば、着てもらう方法および脱いでもらう方法において、上着１０を用いて説明したが、ズボン１で同じ方法を用いてもよい。
【００５４】
（５）その他
一般的に、臥床状態が長く続いてしまうと、様々な合併症、筋力の低下や認知症が引き起こされたり、さらには廃用症候群などを引き起こしたりする危険性がある。このため、家庭や介護施設などの介護の現場においては「離床」が促される傾向にある。例えば、離床を促すため、生活リズムを整えるべく着替えが行われたりするなど、利用は着替えと共に促されることが多い。
その離床においては、被介護者を、ベッドで上半身を起こした状態にしたり、車椅子で座った状態にしたりする。このとき、それぞれの状態において、被介護者には、ズボンの前側が弛んだり、身体の背部が露出したりし、お尻側の生地がつっぱったりするといった不快感がある。
通常、ズボンは、長時間、座っていること、すなわち立たないで生活する時間の方が多いことを前提に作られていない。
このため、本発明のズボン１によると、椅子に座った状態や、ベッドで上半身を起こした際の着用時の快適性を向上させることができる。
【符号の説明】
【００５５】
１  ズボン
２ａ  腰側の開口となるべき部位
２ｂ  脚側の開口となるべき部位
３  切離部
４  股下線
５  前部
６  後部
７  連結部材
８  帯状部材
８ａ  袋部
８ｂ  帯通し
９  耳部
９ａ  ボタン
９ｂ  ボタン穴
１０  上着
１０ａ  上着の変形例
１０ｂ  幅広の部位
１０ｃ  袖になるべき部位
１０ｄ  係合部
１１  角部
１２  前掛けになるべき部位（前掛け）
１２ａ  左右の部位
１２ｂ  スナップボタン
１３  前後の見頃になるべき部位
１４  後身頃になるべき部位（後身頃）
１５  前身頃になるべき部位（前見頃）
１５ａ  頭部側の端縁
１５ｂ  外側の測縁
１５ｃ  回り込んでいる部位
１６  折り曲げ部位
１７  開口
１８  紐部材
１９  目印
１９ａ  折り込んだ部位
２０  身体（被介護者）
２１  頭部
２２  側面
２３  腕
２４  車椅子
２４ａ  座部
２５  ベッド（寝具）
２６  シート状の部材からなる衣服
３０  ズボンを着用する方法
３０ａ  ズボンを脱ぐ方法
３１  上着を着用する方法
３１ａ  上着を脱ぐ方法
【図１】
2020020078.tif 000003
【図２】
2020020078.tif 000004
【図３】
2020020078.tif 000005
【図４】
2020020078.tif 000006
【図５】
2020020078.tif 000007
【図６】
2020020078.tif 000008
【図７ａ】
2020020078.tif 000009
【図７ｂ】
2020020078.tif 000010
【図８】
2020020078.tif 000011
【図９ａ】
2020020078.tif 000012
【図９ｂ】
2020020078.tif 000013